(57)【要約】【課題】専用の取付金具を用いることなく簡単な作業で設備コスト安に設置することができる画期的な雨樋保護具を提供すること。【解決手段】家屋１の屋根軒先２に設けられた断面半円弧状の雨樋３の上部開口部４を覆うように設けられ、この雨樋３を多量の積雪による破損や落ち葉などのゴミ溜まりによる詰まりから保護する雨樋保護具であって、前記雨樋３の上部開口部４を閉塞し得る天板部５の左右側縁部に、雨樋３の左右上端外側部に当接若しくは近接する垂下片部６を連設して雨樋３の上部開口部４に上方から被嵌し得る略断面コ字形の本体枠７を形成し、この本体枠７の少なくとも天板部５に通水穴８が多数散在する通水構造を設けた雨樋保護具。【選択図】　　　　図１
2004100386.tif 000002
【特許請求の範囲】
【請求項１】
家屋の屋根軒先に設けられた断面半円弧状の雨樋の上部開口部を覆うように設けられ、この雨樋を多量の積雪による破損や落ち葉などのゴミ溜まりによる詰まりから保護する雨樋保護具であって、前記雨樋の上部開口部を閉塞し得る天板部の左右側縁部に、雨樋の左右上端外側部に当接若しくは近接する垂下片部を連設して雨樋の上部開口部に上方から被嵌し得る略断面コ字形の本体枠を形成し、この本体枠の少なくとも天板部に通水穴が多数散在する通水構造を設けたことを特徴とする雨樋保護具。
【請求項２】
方形枠体の左右側縁部を垂下折曲して略断面コ字形の前記本体枠を構成し、この本体枠の左右側縁部の垂下折曲部分を前記垂下片部とし、前記方形枠体内に網やパンチング板を設けて前記通水構造を設けた前記天板部を構成したことを特徴とする請求項１記載の雨樋保護具。
【請求項３】
前記本体枠を前記雨樋に被嵌した際、この本体枠は雨樋に対してスライド移動し得るように構成したことを特徴とする請求項１，２のいずれか１項に記載の雨樋保護具。
【発明の詳細な説明】
【０００１】
【発明の属する技術分野】
本発明は、例えば屋根に積もった雪が軒先に滑り動して雨樋内に入り込みこの雪の重みで雨樋が破損したり、雨樋に落ち葉などのゴミ溜まりにより詰まることを防止するための雨樋保護具に関するものである。
【０００２】
【従来の技術及び発明が解決しようとする課題】
家屋の屋根軒先に装備された断面半円弧状の雨樋の上部開口部に網材を取り付け、この雨樋内に落ち葉などのゴミが溜まり詰まってしまうことを防止するための落ち葉避け構造として実公平６−４２０２３号（以下、従来例という。）が提案されている。
【０００３】
この従来例は、雨樋に専用の取付金具を用いて網材を取り付ける構成である。
【０００４】
具体的に説明すると、取付金具は、一対の帯板の一端同士を互いにスライド自在に重合連結すると共に、夫々の帯板の他端に雨樋の左右外側部に被嵌係止する被嵌部を設けた構成であり、更にこの取付金具の上面に所定位置を切り起こして形成した係止片部が備えられている。
【０００５】
そして、この取付金具は夫々の被嵌部を雨樋の左右外側部に被嵌することで雨樋の左右方向に架設することができ、この取付金具上に雨樋の上部開口部を覆い得る形状に形成した網材を載置した上、前記係止片部を網材の適宜位置に折り曲げ係止することで、雨樋の上部開口部に網材が固定される構成であった。
【０００６】
しかし、この従来例にあっては、前述の取付金具を多数用意しなければならないために設備コスト高となり、また、取り付けに際しては、上記したように先ず、取付金具を雨樋に多数取り付ける必要があり、それからこれらの取付金具上に網材を載置した上で前記係止片部を一つ一つ折り曲げて網材を係止固定しなければならないため、非常に手間がかかり、取り付け作業性に劣るという問題点があった。
【０００７】
本発明は、このような問題点に着目し、これを解決するためのもので、従来例のような網材を取り付けるためだけの専用の取付金具を用いることなく、簡単な作業で設備コスト安に設置することができる画期的な雨樋保護具を提供することを目的としている。
【０００８】
【課題を解決するための手段】
添付図面を参照して本発明の要旨を説明する。
【０００９】
家屋１の屋根軒先２に設けられた断面半円弧状の雨樋３の上部開口部４を覆うように設けられ、この雨樋３を多量の積雪による破損や落ち葉などのゴミ溜まりによる詰まりから保護する雨樋保護具であって、前記雨樋３の上部開口部４を閉塞し得る天板部５の左右側縁部に、雨樋３の左右上端外側部に当接若しくは近接する垂下片部６を連設して雨樋３の上部開口部４に上方から被嵌し得る略断面コ字形の本体枠７を形成し、この本体枠７の少なくとも天板部５に通水穴８が多数散在する通水構造を設けたことを特徴とする雨樋保護具に係るものである。
【００１０】
また、方形枠体の左右側縁部を垂下折曲して略断面コ字形の前記本体枠７を構成し、この本体枠７の左右側縁部の垂下折曲部分を前記垂下片部６とし、前記方形枠体内に網９やパンチング板９を設けて前記通水構造を設けた前記天板部５を構成したことを特徴とする請求項１記載の雨樋保護具に係るものである。
【００１１】
また、前記本体枠７を前記雨樋３に被嵌した際、この本体枠７は雨樋３に対してスライド移動し得るように構成したことを特徴とする請求項１，２のいずれか１項に記載の雨樋保護具に係るものである。
【００１２】
【発明の実施の形態】
好適と考える本発明の実施の形態（発明をどのように実施するか）を、図面に基づいてその作用効果を示して簡単に説明する。
【００１３】
雨樋３の上部開口部４に上方から断面コ字形の本体枠７を被嵌すると、天板部５が雨樋３の上部開口部４を閉塞すると共に、この天板部５の左右側縁部の垂下片部６が雨樋３の左右上端外側部に当接若しくは近接して、本体枠７は雨樋３に対し左右方向への位置ずれが防止された状態となる。
【００１４】
従って、従来例のような専用の取付金具を用いずとも、単に本体枠７を雨樋３に上方から被嵌するだけで容易に本発明品を位置決め状態に設置することができる。尚、この際、例えば、本来雨樋３を屋根軒先２に取り付けるための雨樋受金具と針金とにより、本体枠７を一緒に固定することで、雨樋３に本体枠７を簡単に取付固定することができる。
【００１５】
また、この際、本体枠７の少なくとも天板部５は通水穴８が多数散在する通水構造となっているため、雨樋３の排水機能を損なうことなく、且つこの雨樋３の上部開口部４を閉塞する天板部５によって落ち葉などのゴミが雨樋３内に入ることが防止される。
【００１６】
また、この本体枠７上（天板部５上）に積雪したり、屋根１に積もった雪が自重により屋根軒先２に滑り動して雨樋３上、即ち、本体枠７の天板部５上に載ったとしても、この雪の一部は多数散在する通水穴８から細分化されて雨樋３内に落下することとなり、また、その他の雪は天板部５に形成した通水穴８以外の部位によって雨樋３内への入り込みが阻止されることとなり、これにより、雨樋３内が雪で満たされることがないため、雨樋３内の通気性が常に確保され、空気と常に接触する雨樋３内の雪は溶け易く、また、天板部５上において雨樋３内への入り込みを阻止された雪もまた、通水穴８を介して空気と常に接触して溶け易いため、雨樋３上には多量に積雪しにくく雨樋３が破損することはない。
【００１７】
従って、本発明は、前記従来例のように専用の取付金具を多数用意せずともよいため設備コスト安となり、また、網材を取り付けるためだけの取付金具を雨樋３に設置してからこの取付金具に網材を取り付けるような手間もなく、単に本体枠７を雨樋３の上部開口部４に上方から被嵌するだけで、簡単に雨樋３に積雪やゴミなどからの保護構造を設備することができる極めて作業性に秀れ実用性に秀れた画期的な雨樋保護具となる。
【００１８】
また、例えば、方形枠体の左右側縁部を垂下折曲して略断面コ字形の前記本体枠７を構成し、この本体枠７の左右側縁部の垂下折曲部分を前記垂下片部６とし、前記方形枠体内に網９やパンチング板９を設けて前記通水構造を設けた前記天板部５を構成すれば、前記作用・効果を確実に発揮する本体枠７を簡易に設計実現可能となり、一層実用的となる。
【００１９】
また、例えば、前記本体枠７を前記雨樋３に被嵌した際、この本体枠７は雨樋３に対してスライド移動し得るように構成すれば、例えば雨樋３の端部からこの雨樋３の上部開口部４に、所定長さに設定した複数の本体枠７を順次スライド移動させて送り込むことで、複数の本体枠７を雨樋３の上部開口部４に隙間を生じることなく極めてスムーズに被嵌することができ、また、雨樋３の上部開口部４に本体枠７を一旦無造作に被嵌した後、本体枠７と本体枠７との間に生じた隙間を、これら本体枠７を雨樋３に対してスライド移動させることで無くせることで、雨樋３の上部開口部４に本体枠７を隙間を生じることなく極めて簡単且つスムーズに作業性良く被嵌できることとなるなど、一層実用的となる。
【００２０】
【実施例】
図面は本発明の一実施例を図示したものであり、以下に説明する。
【００２１】
本実施例は、家屋１の屋根軒先２に装備された断面半円弧状の雨樋３の上部開口部４を覆うように設けられ、この雨樋３を多量の積雪による破損や落ち葉などのゴミ溜まりによる詰まりから保護する雨樋保護具に係るものである。
【００２２】
この雨樋保護具は、図１，３に示すように、雨樋３の上部開口部４を閉塞し得る天板部５と、この天板部５の左右側縁部に雨樋３の左右上端外側部に当接する垂下片部６を連設して雨樋３の上部開口部４に上方から被嵌し得る略断面コ字形の本体枠７を形成し、この本体枠７の天板部５に通水穴８が多数散在する通水構造を設けた構成としている。
【００２３】
具体的には、長方形状を呈する方形枠体の長手方向縁部（左右側縁部）を垂下折曲して略断面コ字形の前記本体枠７を構成し、この本体枠７左右の垂下折曲部分を前記垂下片部６とし、前記方形枠体内に金網９（例えばラス金網）を張設することで前記通水構造を備えた前記天板部５を構成している。即ち、本実施例では、金網９の網目を前記通水穴８としている。
【００２４】
更に具体的には、方形枠体の左右横巾を、雨樋３の左右横巾よりも長めに設定し、この方形枠体の左右側縁部の所定位置を垂下方向に折曲することで、雨樋３の左右側部の外側に近接若しくは当接する前記折曲片部６を形成し、更に、本体枠７内の開口部分の全面に金網９を張設することで通水構造を備えた天板部５を形成した構成としている。
【００２５】
また、折曲片部６は、本体枠７を雨樋３に被嵌した際に雨樋受金具１０に干渉しない長さに設定している。即ち、本体枠７を雨樋３に被嵌した際、この本体枠７は雨樋３に対してスライト移動し得るように構成している。これにより、本体枠７を雨樋３に取り付ける際には、予め夫々が所定長さに設定された複数の本体枠７を、例えば雨樋３の端部から順次スライド移動させて送り込むだけで、雨樋３の上部開口部４に本体枠７を隙間を生じることなく極めて簡単且つスムーズに作業性良く被嵌することができる。また、雨樋３の端部から本体枠７を順次スライドさせて上部開口部４にこれら本体枠７を被嵌させた場合の他にも、雨樋３の上部開口部４に本体枠７を一旦無造作に被嵌した後、本体枠７と本体枠７との間に生じた隙間を、これら本体枠７を雨樋３に対してスライド移動させることで無くせることで、雨樋３の上部開口部４に本体枠７を隙間を生じることなく極めて簡単且つスムーズに作業性良く被嵌することができる。
【００２６】
また、この本体枠７を構成する方形枠体には、この本体枠７の長さ方向に所定間隔を置いて左右方向に補強桟５Ａを複数架設し、この補強桟５Ａにより本体枠７の強度を向上させてたとえ天板部５上に多量に積雪しても金網９が雪の重みで変形したりしにくい構成としている。
【００２７】
また、金網９は、この金網９の上に雪が載った際にこの雪を細分化して雨樋３内へ落下させ得ると共に、屋根１から自重により屋根軒先２に滑り動した雪を多量に雨樋３内に入り込ませることがない網目の大きさであって、且つ、落ち葉などのゴミが雨樋３の上部開口部４からこの雨樋３内に落下して溜まることを阻止し得る網目の大きさのものを採用している。
【００２８】
尚、本実施例では、本体枠７内に金網９を張設することで通水構造を構成しているが、例えば通水穴８を多数穿設した板材を方形枠体（本体枠７）の開口部分の全面に付設することで通水構造を備えた天板部５を形成しても良い。また、方形の板材をコ字形に折曲して本体枠７を構成し、天板部５となる部位に通水穴８を多数穿設することで通水構造を構成しても良い。
【００２９】
次に、本実施例の雨樋保護具の使用方法（雨樋３への取付方法）として、既設の雨樋３に対して後付する方法を説明する。
【００３０】
尚、既設の雨樋３は、図４に示したような、断面半円弧状の雨樋３を採用し、この雨樋３は屋根軒先２に取付固定した半円弧状の雨樋受金具１０に載置した上、雨樋受金具１０の先端部と基端部とに架け渡して巻き付け固定した針金１１で上方から押さえ込み固定している。
【００３１】
先ず、雨樋受金具１０に雨樋３を固定している針金１１を切断除去する。
【００３２】
続いて、雨樋３の上部開口部４に上方から本体枠７を被嵌する。尚、この際、雨樋３の一端部から本体枠７を順次スライド移動させて上部開口部４を被嵌しても良い。この場合、折曲片部６が本体枠７の天板部５の左右両側縁部に設けられ、夫々が雨樋３の左右上端外側部に近接若しくは当接することから、本体枠７が雨樋３の左右方向へ位置ずれすることを防止でき、且つ、前述したスライド移動をスムーズに行うことができるため、雨樋３の上部開口部４に本体枠７を所望位置までスライド移動させた後は、単に後述するように本体枠７を針金１１を用いて雨樋３と共に固定するだけで雨樋３に本体枠７を取り付けることができる。
【００３３】
また、本体枠７は雨樋３の長さに応じて切断して長さ調節することができる。即ち、本実施例の本体枠７は、方形枠体と金網９とで形成されているため、板金ハサミで容易に切断することができ、これにより、容易に寸法合わせを行って雨樋３に本体枠７を隙間生じないように取り付けることができる。
【００３４】
また、本体枠７を切断せずに、複数の本体枠７の端部同士を重合させて、雨樋３の長さに合わせることもできる。
【００３５】
続いて、雨樋３の上部開口部４に被嵌した本体枠７の上方に針金１１を配した上、この針金１１の両端部を雨樋受金具１０の先端部と基端部とに巻き付け固定する。これにより、本体枠７が上方から針金１１によって押さえ付けられ、雨樋３に固定される。即ち、本来雨樋３を屋根軒先２に取り付けるための雨樋受金具１０と針金１１を利用して本体枠７を雨樋３に簡単に取り付けることができる。
【００３６】
また、本実施例では、図１，２に示したように、本体枠７と同様の構成を備えたコーナー用保護体１２と集水器用保護体１４とを用意し、雨樋３のコーナー部位ではコーナー用保護体１２を装着し、集水器１３には集水器用保護体１４を装着することで雨樋３の全ての部位を保護する構成としている。尚、請求項２中に記載の「方形枠体」なる表現は、四方形状の枠体だけでなく、本実施例のコーナー用保護体１２のような形状の枠体も含む意味合いで用いている。
【００３７】
尚、これまでに説明した取付方法とは別に、既設の雨樋３の針金１１を切断せずに直接本体枠７を雨樋３の上部開口部４に上方から被嵌して取り付けても良い。即ち、例えば、本体枠７を雨樋３に被嵌した後、この本体枠７の天板部５を構成する金網９の網目に新たな針金を挿通し、雨樋３を雨樋受金具１０に固定した針金１１に巻き付け固定することで、雨樋３に本体枠７を固定しても良いし、既設の雨樋３に針金１１を切断除去せずに上部開口部４から本体枠７を被嵌し、この本体枠７を介して雨樋受金具１０の先端部と基端部とを更に別の針金で巻き付け固定することで雨樋３に本体枠７を押さえ付け固定しても良い。
【００３８】
尚、本発明は、本実施例に限られるものではなく、各構成要件の具体的構成は適宜設計し得るものである。
【００３９】
【発明の効果】
本発明は上述のように構成したから、専用の取付金具を用いることなく簡単な作業で設備コスト安に設置することができる画期的な雨樋保護具となる。
【００４０】
即ち、雨樋の上部開口部に上方から断面コ字形の本体枠を被嵌すると、天板部が雨樋の上部開口部を閉塞すると共に、この天板部の左右側縁部の垂下片部が雨樋の左右外側部に当接若しくは近接して本体枠が雨樋に対し左右方向への位置ずれが防止されて位置決めされるため専用の取付金具を用意する必要がなく、よって設備コスト安となり、また、取付金具を雨樋に設置してからこの取付金具に網材を取り付けるような手間もなく、単に本体枠を雨樋の上部開口部に上方から被嵌するだけで、簡単に雨樋に積雪やゴミなどからの保護構造を設備することができる極めて作業性に秀れ実用性に秀れた画期的な雨樋保護具となる。
【００４１】
また、請求項２記載の発明においては、前記作用・効果を確実に発揮する本体枠７を簡易に設計実現可能となり、一層簡単に雨樋に積雪やゴミなどからの保護構造を設備することができる実用性に秀れた画期的な雨樋保護具となる。
【００４２】
また、請求項３記載の発明においては、例えば雨樋の端部からこの雨樋の上部開口部に、所定長さに設定した複数の本体枠を順次スライド移動させて送り込むことで、複数の本体枠を雨樋の上部開口部に隙間を生じることなく極めてスムーズに被嵌することができ、また、雨樋の上部開口部に本体枠を一旦無造作に被嵌した後、本体枠と本体枠との間に生じた隙間を、これら本体枠を雨樋に対してスライド移動させることで無くせることで、雨樋の上部開口部に本体枠を隙間を生じることなく極めて簡単且つスムーズに作業性良く被嵌することができる実用性に秀れた画期的な雨樋保護具となる。
【図面の簡単な説明】
【図１】本実施例の使用状態を示す説明斜視図である。
【図２】本実施例の雨樋の上部開口部に被嵌する構成の雨樋保護具を示す説明斜視図である。
【図３】本実施例の天板部に通水構造を設けた本体枠を示す説明斜視図である。
【図４】本実施例の使用状態を示す拡大説明断面図である。
【符号の説明】
１　家屋
２　屋根軒先
３　雨樋
４　上部開口部
５　天板部
６　垂下片部
７　本体枠
８　通水穴
９　網，パンチング板
【図１】
2004100386.tif 000003
【図２】
2004100386.tif 000004
【図３】
2004100386.tif 000005
【図４】
2004100386.tif 000006